(57)【要約】【課題】    不燃材の両面に表面材を貼着した天井パネルを配列して耐火天井を構成する目地部の連結構造の提供。【解決手段】  隣り合う天井パネル１，１を間に目地１３を残して配列し、目地１３の下側には両天井パネル１，１に跨ってコ形断面をした所定長さのカバー材３を配置し、そして上記目地１３及びカバー材３と天井パネル１，１との間に形成される空間には不燃材４ａ，４ｂ，４ｂ，６を充填し、又上記カバー材３は天井パネル１，１にネジ止め固定すると共にネジ先端が天井パネル１，１を貫通しない長さとし、又天井パネル側端の止着片１４，１４に目地ジョイント７を係止してネジ止めすると共にネジ先端がカバー材３を貫通しない長さとしている。【選択図】    図３
2010007361.tif 000002
【特許請求の範囲】
【請求項１】
耐火天井を構成する目地部の連結構造において、天井パネルは石膏ボード等の不燃材の両面に金属製の表面材を貼着し、側端には該表面材を屈曲して止着片を形成したものであり、隣り合う天井パネルを間に目地を残して配列し、目地の上側又は下側には両天井パネルに跨ってコ形断面をした所定長さのカバー材を上記目地に沿って配置し、そして上記目地及びカバー材と天井パネル面との間に形成される空間には不燃材を充填し、又上記カバー材は天井パネルにネジ止め固定すると共にネジ先端が天井パネルを貫通しない長さとし、又上記止着片に目地ジョイントを係止してネジ止めすると共にネジ先端がカバー材を貫通しない長さとしたことを特徴とする耐火天井の目地部連結構造。
【請求項２】
上記カバー材に連結プレートを収容すると共に天井パネルに当接し、目地の不燃材に挿通したネジを該連結プレートに螺合した請求項１記載の耐火天井の目地部連結構造。
【請求項３】
上記カバー材を天井パネルの下側に取付け、該カバー材の下側には梁を配置して天井パネルの目地部を支えた請求項１、又は請求項２記載の耐火天井の目地部連結構造。
【請求項４】
上記カバー材を天井パネルの上側に取付け、該カバー材の上側には梁を配置して天井パネルの目地部を吊設した請求項１、又は請求項２記載の耐火天井の目地部連結構造。
【発明の詳細な説明】
【技術分野】
【０００１】
本発明は天井に耐火性能を持たせた場合の目地部の連結構造に関するものである。
【背景技術】
【０００２】
天井には天井パネルが配列されて天井を構成しているが、該天井パネルの接合構造は色々ある。例えば、図８に示すように隣り合う天井パネル(イ)、(イ)はエ型断面の繋ぎ材(ロ)を介して連結され、該繋ぎ材(ロ)の空間(ハ)、(ハ)に天井パネル(イ)、(イ)の側端部(ニ)、(ニ)が嵌って支持される。しかし、天井を断熱構造とする場合には、上記繋ぎ材(ロ)を介しての天井パネル(イ)、(イ)の連結には問題がある。
【０００３】
すなわち、繋ぎ材(ロ)の空間(ハ)、(ハ)に嵌る側端部(ニ)、(ニ)には隙間が発生し、該隙間から熱が逃げてしまう。そこで、断熱構造とする天井パネルの接合では、天井パネルの側端に溝を形成すると共に該溝にスプライン繋ぎ材を隙間なく嵌合して構成している。そして、該スプライン繋ぎ材の材質も断熱性の高い樹脂製とすることで、天井の断熱性を向上することが出来る。
【０００４】
図９は断熱構造を備えた従来の天井裏側外観を示しているが、所定の間隔をおいて配置されている受材(ホ)は吊ボルトにて吊設され、そして受材(ホ)には受金具(ヘ)、(ヘ)・・が取付けられ、天井パネル(イ)、(イ)・・は上記受金具(ヘ)、(ヘ)・・にネジ止めされている。図１０は天井パネル(イ)、(イ)の接合部を表している斜視図であり、一方の天井パネル側端に形成した溝(ト)にはスプライン繋ぎ材(チ)が嵌合し、他方の天井パネル(イ)はスプライン繋ぎ材(チ)から分離された状態となっているが、隣り合う天井パネル(イ)、(イ)はその側端溝(ト)、(ト)にスプライン繋ぎ材(チ)が嵌合することで接合する。
【０００５】
そして、受材(ホ)に係止した受金具(ヘ)から下方へ延びるネジ(リ)はスプライン繋ぎ材(チ)を固定している。すなわち、スプライン繋ぎ材(チ)をネジ止めすることで、側端溝(ト)、(ト)にスプライン繋ぎ材(チ)が嵌ることにより天井パネル(イ)、(イ)を吊設することが出来る。
【０００６】
このように断熱天井は目地部における天井パネルの連結に隙間を残さないことで効果を達成することは可能であるが、耐火天井ともなればその条件は非常に高くなり、目地部の構造は全く異なる。単に隙間を作らないといった簡単なことで耐火天井とはならない。今日、建築基準法にて天井の耐火性能は規定されていないが、市場では天井の耐火性能も求められている。
【０００７】
特開２００１−１８２２１３号に係る「耐火天井構造」は従来技術であり、天井裏に下地として設けられた野縁に取付けられる耐火天井本体を、無機質繊維断熱材と、その両側に重ね合わされた石膏ボードと、天井表側の石膏ボードに重ね合わされたケイ酸カルシウム板とで構成している。
このように、無機質繊維断熱材、石膏ボード、及びケイ酸カルシウムに関しては耐火性を有しているが、火災が発生した際の高熱はこれら各ボードの接合部から侵入するために、この技術だけでは不十分である。
【特許文献１】特開２００１−１８２２１３号に係る「耐火天井構造」
【発明の開示】
【発明が解決しようとする課題】
【０００８】
このように、耐熱性の天井パネルを使用して隙間なく配列しただけの構造では耐火天井を構成することは出来ない。本発明が解決しようとする課題はこの問題点であり、耐熱性の天井パネルの接合部に隙間を発生することなく、しかも耐火性能を備えた天井の目地部連結構造を提供する。
【課題を解決するための手段】
【０００９】
本発明に係る天井パネルの目地部連結構造は、隙間を有しないだけでなく、天井の天井面側(部屋側)から上側(天井裏)にかけて連通するネジなどの部材を使用しない構造となっている。ところで、天井パネルは石膏ボード等の不燃材の両面に金属製の表面材を貼着したもので、隣り合う天井パネルに跨って目地上側又は目地下側にコ形断面のカバー材を配置している。ここで、コ形断面のカバー材は目地に沿って延びる長尺材となっている。そして、両表面材は繋がっておらず、表側表面材と裏側表面材は互いに分離している。
【００１０】
上記カバー材の内部は石膏ボード等の不燃材で隙間なく充填され、カバー材は天井パネルに連結・固定される。そして、中央部には連結プレートが天井パネル面に当接して不燃材と共にカバー材内に収容されている。ここで、不燃材としては上記石膏ボードの他に、ケイ酸カルシウム板、木毛セメント板などが一般的である。
【００１１】
そして、隣り合う天井パネルの目地空間には不燃材が充填され、表面材を曲げ成形した止着片に目地ジョイントを係止した状態でネジ止めされ、上記連結プレートに螺合している。又、ネジ頭及び目地ジョイントをカバーする為の目地カバーを取付けている。ここで、これらネジは天井パネルを貫通しないように先端は不燃材内部に位置している。
【００１２】
ところで、天井パネル支える為の梁が用いられ、この梁は天井パネルが連結される目地部に配置されている。そして、梁が天井パネルの下側に位置する場合には該梁の上に載って支えられ、逆に梁が天井パネルの上側に位置する場合には、該梁にカバー材がネジ止めして吊設される。
【発明の効果】
【００１３】
本発明に係る耐火天井の目地部連結構造では、所定の隙間(目地)を残して天井パネルが配列し、隣り合う天井パネルに跨って目地の上側又は下側にコ形断面のカバー材を載置し、カバー材は天井パネルにネジ止めされる。そして、コ形断面のカバー材と天井パネルとの間に形成される空間には石膏ボード等の不燃材が充填されて隙間を残していない。
【００１４】
又、目地空間にも石膏ボード等の不燃材が充填されることで隙間は存在しない。従って、部屋で火災が発生して天井パネルの下側が高温と成っても、天井パネルの目地から高熱が侵入しなくなる。そして、目地にはカバー材が配置されて、その空間には不燃材が充填されている為に、目地を通過して熱が天井裏側へ逃げることを抑制することが出来る。
【００１５】
又、カバー材と天井パネルを連結するネジは天井パネルを貫通せず、そして、表面材を曲げ成形した止着片に目地ジョイントを係合し、目地に充填した不燃材に螺合するネジはカバー材まで達しない長さとしている。さらに、天井パネルの表面材は天井面と裏側面とは分離している為に天井面側の高熱は裏側へ伝達しない。このように金属部材が天井面と天井裏を連通する構造でないために、目地連結部の耐火性能は非常に高くなる。ところで、天井パネルは下側又は上側に配置される梁によって安定して支持されている。
【実施例】
【００１６】
図１は本発明に係る耐火天井の目地部連結構造を採用して構成したファクトリーブースを示す外観図である。勿論、本発明の耐火天井の目地部連結構造が適用される対象を上記ファクトリーブースに限定するものではないが、天井は複数枚の天井パネル１，１・・・が縦・横方向に配列して構成され、側面には壁パネル２，２・・・が取付けられている。
【００１７】
ここで、天井パネル１は不燃材の両面に金属製の表面材を貼着した構造であるが、両表面材は繋がっていない。同じく、壁パネル２も不燃材の両面に金属製の表面材を貼着して構成している。該不燃材としては、例えば、石膏ボード、ケイ酸カルシウム板、木毛セメント板などが一般的であるが、これらに限定はしない。
【００１８】
図２は本発明に係る耐火天井の目地部連結構造の展開図を表している。同図の１は天井パネル、３はコ形断面のカバー材、４ａ，４ｂ，４ｂはカバー材３に収容される不燃材、５は不燃材４ａと重なり合ってカバー材３に収容される連結プレート、６は目地に嵌る不燃材、７は目地ジョイント、８は目地カバー、９，１０はネジを夫々示している。
【００１９】
図２の展開図では上記カバー材３及びカバー材に収容される不燃材４ａ，４ｂ，４ｂ、連結プレート５が天井パネル１，１の上側に位置しているが、天井の構造によっては下側に配置した目地部連結構造として構成する場合もある。図３は本発明の目地部連結構造を示している実施例であり、目地部を覆う上記カバー材３、及び不燃材４ａ，４ｂ，４ｂが天井パネル１，１の下側に配置した連結構造と成っている。
【００２０】
天井パネル１は不燃材１１の両面に金属製の表面材１２ａ，１２ｂを貼着しており、隣り合う天井パネル１，１・・は所定の距離(目地１３)を置いて配列されている。そして、隣り合う天井パネル１，１・・の目地部下側には上記連結プレート５が両天井パネル１，１に跨って設けられ、さらにコ形断面のカバー材３が配置されている。
【００２１】
コ形断面のカバー材３の内部には所定の寸法に切断した不燃材４ａ，４ｂ，４ｂが充填されて、隙間がないようになっている。ここで、連結プレート５及びコ形断面のカバー材３は所定長さの長尺材であって、配列されている天井パネル１，１・・の目地１３に沿って設けられている。不燃材４ａと連結プレート５は重なり合い、その両側には不燃材４ｂ，４ｂが配置されてカバー材３に収容され、そして、カバー材３の下側からはネジ９，９が挿通されて、上記不燃材４ｂ，４ｂを貫通すると共に天井パネル１，１に螺合して連結している。
【００２２】
上記ネジ９，９の先端は天井パネル１，１の不燃材１１，１１内に位置し、天井パネルの裏面と成る表面材１２ａ，１２ａまでは延びていない。従って、火災によりカバー材３が高温になった場合でも、上記ネジ９，９を伝わって天井パネル１，１の裏側表面材１２ａ，１２ａへ熱が伝達されることはない。
【００２３】
又、隣り合う天井パネル１，１は、表面材１２ａ，１２ａを曲げ成形して止着片１４，１４を側端に設け、この止着片１４，１４に目地ジョイント７が係止して隣り合う天井パネル１，１は互いに連結され、該目地ジョイント７は上方から挿通したネジ１０が上記連結プレート５に螺合して固定されている。しかし、そのネジ１０の先端はコ形断面のカバー材３の内部に収容している不燃材４ａに位置し、カバー材３の下面までは達していない。
【００２４】
従って、ネジ１０を伝って天井面側の熱がカバー材３からネジ１０を伝達して天井パネル１の上面に達することはない。又、この目地１３の空間に不燃材６が充填されていて、目地１３に隙間は存在しない。従って、目地１３の空間を伝って対流により熱が天井裏へ伝わることも出来ない構造と成っている。
【００２５】
ところで、図３において１５は梁を表し、前記ファクトリーブースの天井に配置されて、該天井パネル１，１・・・を支えている。同図の梁１５は長方形断面のパイプで、目地部に取付けたカバー材３に沿って配置されている。すなわち、カバー材３は梁１５の上に載り、天井パネル１，１の連結目地部を支持している。ここで、天井の梁構造を本発明は限定するものではないが、互いに垂直を成して配置した別の梁１６とはＬ形金具１７，１７を介して連結されている。
【００２６】
図４は本発明に係る目地部連結構造を示す他の実施例である。カバー材３は天井パネル１，１の下側に取付けられ、コ形断面のカバー材３には不燃材４ａ，４ｂ，４ｂ、及び連結プレート５が隙間なく収容され、該カバー材３は天井パネル１，１にネジ止めされている。そして、天井には梁が設けられて天井パネル１，１を支えている。この梁の形態が異なるだけで、他は前記図３にて説明した実施例と同じである。（ａ）に示す梁１７ａはコ形断面の長尺材を縦向きに配置している場合、（ｂ）に示す梁１７ｂはコ形断面の長尺材を横向きに配置している場合である。
【００２７】
図５は本発明に係る目地部連結構造を示す別な実施例である。カバー材３は天井パネル１，１の上側に取付けられ、コ形断面のカバー材３には不燃材４ａ，４ｂ，４ｂ、及び連結プレート５が隙間なく収容され、該カバー材３は天井パネル１，１にネジ止めされている。そして、天井には梁１７ａ，１７ｂが設けられているが、該梁１７ａ，１７ｂは天井パネル１，１の上側に配置されている。
【００２８】
図５に示す目地部連結構造は梁１７ａ，１７ｂが天井パネル１，１の上側に配置されていることで、カバー材３は該梁１７ａ，１７ｂにネジ止めにて吊設された構造と成っている。そこで、天井パネル１，１間の目地１３には不燃材６が嵌められ、下方から目地ジョイント７を係止してネジ止めされている。
【００２９】
図６、図７は更なる別の実施例であり、コ形断面の梁１８ａ，１８ｂを使用した場合である。図６（ａ）に示すコ形梁１８ａは縦向きに配置している場合、（ｂ）に示すコ形梁１８ｂは横向きに配置している場合を示している。そして、これら各梁１８ａ，１８ｂは天井パネル１，１の下側に配置されている。これに対して図７では同じコ形断面の梁１８ａ，１８ｂが天井パネル１，１の上側に配置した構造としている。
【００３０】
このように、天井パネル１，１を支える梁の形態は異なり、その他にも色々存在するが、目地部連結構造は共通している。すなわち、天井パネル１，１間の目地１３には不燃材６が嵌り、そして天井パネル１，１の上側、又は下側にはコ形断面のカバー材３が取付けられると共に内部には不燃材４ａ，４ｂ，４ｂを隙間なく収容している。
【図面の簡単な説明】
【００３１】
【図１】本発明に係る耐火天井の目地部連結構造を採用したファクトリーブースの外観図。
【図２】耐火天井の目地部連結構造の展開図。
【図３】本発明に係る耐火天井の目地部連結構造を示す実施例。
【図４】本発明に係る耐火天井の目地部連結構造を示す実施例。
【図５】本発明に係る耐火天井の目地部連結構造を示す実施例。
【図６】本発明に係る耐火天井の目地部連結構造を示す実施例。
【図７】本発明に係る耐火天井の目地部連結構造を示す実施例。
【図８】従来の天井パネル接合構造。
【図９】天井裏側の外観図。
【図１０】スプライン繋ぎ材を使用した従来の接合構造。
【符号の説明】
【００３２】
１  天井パネル
２  壁パネル
３  カバー材
４  不燃材
５  連結プレート
６  不燃材
７  目地ジョイント
８  目地カバー
９  ネジ
10  ネジ
11  不燃材
12  表面材
13  目地
14  止着片
15  梁
16  梁
17  梁
18  梁
【図１】
2010007361.tif 000003
【図２】
2010007361.tif 000004
【図３】
2010007361.tif 000005
【図４】
2010007361.tif 000006
【図５】
2010007361.tif 000007
【図６】
2010007361.tif 000008
【図７】
2010007361.tif 000009
【図８】
2010007361.tif 000010
【図９】
2010007361.tif 000011
【図１０】
2010007361.tif 000012